(57)【要約】【課題】  ベルトを傷つけることなくプーリに嵌合することができるベルト取付け装置及びベルト取付け方法を提供する。【解決手段】  ベルト取付け装置１は基板３、脚部４、ボス５、ボルト６、台７とから構成されるガイド２及びガイド棒８を有する。基板３の外周に延在する脚部４を引っ掛けてガイド２をプーリ２１に固定し、ベルト２０を設置した台７を載せたボルト６をねじ孔５ａに螺合して、台７をベルト伸張方向に移動させることにより、嵌合するプーリ２１に対してベルト２０を伸張する。そして、脚部４に配置された孔４ａに差し込んだガイド棒８にベルト２０を移動させた後、ガイド棒８を孔４ａから抜き去ることにより、ベルト２０をプーリ２１に嵌合する。【選択図】  図２
2006009861.tif 000002
【特許請求の範囲】
【請求項１】
平ベルト本体の下面にベルト長手方向に伸びる複数のＶリブを一体に形成したベルトを、少なくとも一対のプーリに取り付けるためのベルト取付け装置であって、
少なくとも最後に嵌合する前記プーリに対して、前記ベルトを適正な長さまで伸張させるベルト伸張手段と、
伸張された前記ベルトを前記プーリへ案内するベルト案内手段と、
を有することを特徴とするベルト取付け装置。
【請求項２】
前記ベルト伸張手段が、前記ベルトを載せ、前記ベルトの伸張方向に可動自在なガイドであり、
前記ベルト案内手段が、伸張された前記ベルトを載せ、前記プーリの外周に対して可動自在なガイド棒であることを特徴とする請求項１に記載のベルト取付け装置。
【請求項３】
前記ベルトを取り付ける少なくとも一対の前記プーリが、ベルトを取り付けた状態では容易に回転できない状態であり、
当該プーリに当該ベルトを取り付けるために用いることを特徴とする請求項１または２に記載のベルト取付け装置。
【請求項４】
前記ベルトに埋設した心線がポリブチレンテレフタレート繊維、ポリトリメチレンテレフタレート繊維、又は、ポリエチレンテレフタレート繊維であることを特徴とする請求項１〜３のいずれか一項に記載のベルト取付け装置。
【請求項５】
平ベルト本体の下面にベルト長手方向に伸びる複数のＶリブを一体に形成したベルトを、少なくとも一対のプーリに取り付けるためのベルト取付け方法であって、
少なくとも最後に嵌合される前記プーリに対して、可動ガイドを設置するステップと、
前記ベルトを前記可動ガイドに載せるステップと、
前記可動ガイドを前記ベルトの伸張方向に動かして、前記ベルトを適正な長さまで伸張させるステップと、
前記プーリの外周にガイド棒を進めるステップと、
前記ベルトを前記可動ガイドから前記ガイド棒に移動させるステップと、
前記ガイド棒を前記プーリの外周から退けて、前記ベルトを前記プーリに嵌合するステップと、
を有することを特徴とするベルト取付け方法。
【請求項６】
前記ベルトに埋設した心線がポリブチレンテレフタレート繊維、ポリトリメチレンテレフタレート繊維、又は、ポリエチレンテレフタレート繊維であることを特徴とする請求項５のいずれか一項に記載のベルト取付け方法。
【発明の詳細な説明】
【技術分野】
【０００１】
本発明は、ベルトをプーリに取り付けるためのベルト取付け装置及びベルト取付け方法に関し、特に、Ｖリブベルトをプーリに取り付けるためのベルト取付け装置及びベルト取付け方法に関するものである。
【背景技術】
【０００２】
従来、ベルトをプーリに取り付けるための取付け装置及び取付け方法として、例えば、単純なレイアウト（二軸レイアウト）で構成されるプーリに対しては、プーリを回転することにより、ベルト（エラスティックベルト等）を嵌合する取付け治具が開発されている。また、特許文献１のようなエンジン等の複雑なレイアウトで構成されるプーリに対しては、プーリに取り付けたマウンティングツール（取付け治具）にベルトを載せて、マウンティングツールをプーリの円周方向に回転させることにより、梃子の原理を用いてベルトをプーリに嵌合する技術が開発されている。
【０００３】
【特許文献１】特開平１０−１８４８１３号公報
【発明の開示】
【発明が解決しようとする課題】
【０００４】
しかしながら、プーリに取り付けるベルトがＶリブベルトである場合、ベルトを嵌合するプーリにもＶリブの溝が構成されており、上述の従来の技術では、取り付け治具を用いてベルトをプーリにずらして嵌合する際にベルトがプーリに設けられた溝（プーリ溝）と接触して傷つく可能性がある。
【０００５】
また、大排気量のエンジン等のレイアウトで構成されるプーリは、容易に回転することができないため、プーリを回転することによりベルトを取り付ける従来の技術を適用することが困難である。また、特許文献１の技術では、プーリが固定されている場合でも適用することができるが、取付け治具自体の構造が複雑であるという問題がある。
【０００６】
そこで、本発明は、ベルトを傷つけることなくプーリに嵌合することができるベルト取付け装置及びベルト取付け方法を提供するものである。
【課題を解決するための手段及び効果】
【０００７】
本発明に係るベルト取付け装置は、平ベルト本体の下面にベルト長手方向に伸びる複数のＶリブを一体に形成したベルトを、少なくとも一対のプーリに取り付けるためのベルト取付け装置であって、少なくとも最後に嵌合する前記プーリに対して、前記ベルトを適正な長さまで伸張させるベルト伸張手段と、伸張された前記ベルトを前記プーリへ案内するベルト案内手段と、を有することを特徴とする。
【０００８】
これによると、ベルトを、嵌合するプーリに対してベルト伸張手段により適正の長さ（即ち、ベルト案内手段がプーリまで案内することが可能な長さ）まで伸張した後、ベルト案内手段により案内しながらプーリに嵌合している。従って、ベルトをプーリへ嵌合する際にプーリ溝でベルトが傷つくことを防止することができる。
【０００９】
尚、本発明に係るベルト取付け装置は、前記ベルト伸張手段が、前記ベルトを載せ、前記ベルトの伸張方向に可動自在なガイドであり、前記ベルト案内手段が、伸張された前記ベルトを載せ、前記プーリの外周に対して可動自在なガイド棒であって良い。
【００１０】
これによると、ベルトをガイドに載せることにより、ベルトを適正な長さまで伸張することができる。また、プーリの外周に進めたガイド棒によりベルトをプーリに案内することにより、ベルトの傷つきを防止しつつベルトをプーリに嵌合することができる。
【００１１】
また、本発明に係るベルト取付け装置は、前記ベルトを取り付ける少なくとも一対の前記プーリが、ベルトを取り付けた状態では容易に回転できない状態であり、当該プーリに当該ベルトを取り付けるために用いられて良い。
【００１２】
これによると、従来のベルト取付け装置では取付けが難しい場合である、プーリが固定され、回転が困難な場合であっても、本発明を適用することにより、簡単な構成で、ベルトをプーリに嵌合することができる。
【００１３】
更に、本発明に係るベルト取付け装置は、前記ベルトに埋設した心線がポリブチレンテレフタレート繊維、ポリトリメチレンテレフタレート繊維、又は、ポリエチレンテレフタレート繊維であって良い。
【００１４】
これによると、ベルトが高伸縮性であるため、ベルトの伸張が可能であり、本発明を容易に実現することができる。
【００１５】
本発明に係るベルト取付け方法は、平ベルト本体の下面にベルト長手方向に伸びる複数のＶリブを一体に形成したベルトを、少なくとも一対のプーリに取り付けるためのベルト取付け方法であって、少なくとも最後に嵌合される前記プーリに対して、可動ガイドを設置するステップと、前記ベルトを前記可動ガイドに載せるステップと、前記可動ガイドを前記ベルトの伸張方向に動かして、前記ベルトを適正な長さまで伸張させるステップと、前記プーリの外周にガイド棒を進めるステップと、前記ベルトを前記可動ガイドから前記ガイド棒に移動させるステップと、前記ガイド棒を前記プーリの外周から退けて、前記ベルトを前記プーリに嵌合するステップと、を有することを特徴とする。
【００１６】
これによると、ベルトを載せた可動ガイドを動かすことにより、嵌合するプーリに対してベルトを伸張している。そして、プーリの外周に進めたガイド棒にベルトを移動させた後、ガイド棒を退けることにより、ベルトをプーリに嵌合している。従って、ベルトをプーリへ嵌合する際にプーリ溝でベルトが傷つくことを防止することができる。
【００１７】
尚、本発明に係るベルト取付け方法は、前記ベルトに埋設した心線がポリブチレンテレフタレート繊維、ポリトリメチレンテレフタレート繊維、又は、ポリエチレンテレフタレート繊維であって良い。
【００１８】
これによると、ベルトが高伸縮性であるため、ベルトの伸張が可能であり、本発明を容易に実現することができる。
【発明を実施するための最良の形態】
【００１９】
以下、図面を参照しつつ、本発明であるベルト取付け装置及びベルト取付け装置を実施するための最良の形態について、具体的な一例に即して説明する。
【００２０】
まず、本実施形態に係るベルト取付け装置を図１〜図６に基づいて以下に説明する。本実施形態では、プーリ２１とプーリ２２とで構成される２軸レイアウトにおいて、ベルト取付け装置１を用いて、予めプーリ２２に嵌合したベルト２０をプーリ２１に嵌合するものとする。尚、ベルト取付け装置によりベルトを嵌合するプーリは、２軸レイアウトの最後に嵌合するプーリに限らず、複数のプーリから構成されるレイアウトにおいて、最後に嵌合するプーリまたは途中で嵌合するプーリ（即ち、最初に嵌合するプーリ以外のプーリ）であってよい。また、ベルトを嵌合するプーリは、２軸レイアウトや小排気量のエンジンレイアウト等に用いられるプーリのように回転可能の状態であっても良いし、大排気量のエンジンレイアウト等に用いられるクランクプーリのように容易に回転できない状態であっても良い。また、ベルトを嵌合するプーリは、固定されていても良いし、固定されていなくても良い。
【００２１】
ベルト２０は、平ベルト本体２０ａの下面２０ｂにベルト長手方向に伸びる複数のＶリブ２０ｃを一体に形成したＶリブベルトである。そして、ベルト２０はベルト長手方向に伸張可能であることが望ましく、ベルト２０に埋設した心線が高伸縮性の繊維であることが好ましい。例えば、ベルト２０に埋設した心線として、ポリブチレンテレフタレート繊維、ポリトリメチレンテレフタレート繊維、又は、ポリエチレンテレフタレート繊維を適用することが好ましい。
【００２２】
プーリ２１、２２は、ベルト２０を嵌合するべく、円周方向の側面２１ｂ、２２ｂに複数のプーリ溝２１ｃ、２２ｃを一体に形成している。即ち、ベルト２０は３つのＶリブ２０ｃを有しており、プーリ２１、２２はベルト２０のＶリブ２０ｃと同じ幅の３つのプーリ溝２１ｃ、２２ｃを有している。尚、ベルト２０のＶリブ２０ｃ、及び、プーリ２１、２２のプーリ溝２１ｃ、２２ｃは、３つに限らず、複数であってよい。
【００２３】
ベルト取付け装置１は、プーリ２１の表面２１ａに配置される半円形の基板３と、基板３の外周から略直角方向に延在する脚部４と、ベルト２０を置くための円弧状の台７と、を有するガイド（可動ガイド）２と、ガイド２の脚部４に設けられた孔４ａに対して基板３と垂直（即ち、プーリ２１の側面２１ｂと平行）になるように差し込むガイド棒８とを有している。
【００２４】
ガイド２は、鉤状の脚部４をプーリ２１の側面２１ｂに引っ掛けることにより、プーリ２１に固定するように構成される。尚、ガイド２は、更に、基板３をプーリ２１の表面２１ａにボルト等で固定するよう構成しても良い。また、脚部４は、ベルト２０をプーリ２１の側面２１ｂにスムーズに案内するべく、プーリ２１の側面２１ｂに向けて傾斜した平滑面となるよう形成される。ここで、脚部４は、プーリ２１の側面２１ｂに引っ掛けた状態で、プーリ２１のプーリ溝２１ｃにかからない程度の長さであることが必要である。
【００２５】
また、ガイド２は、基板３にボルト等で固定されたボス５と、基板３と平行になるようにボス５の中央に設けられたねじ孔５ａに螺合されたボルト６と、からなる伸退駆動機構を有する。台７は、この伸退駆動機構により、基板３に対して伸退方向に可動できる。具体的には、ボルト６は、基板３の円周方向の先端が錐体となるように形成されており、その先端に中央部分が位置する状態で台７を載せる。ここで、ボルト６は、ねじ孔５ａに螺合した状態で、錐体の先端が基板３の円周方向の端に到達可能な長さであることが必要である。そして、ボルト６をねじ孔５ａに螺合することにより、プーリ２１に対して台７がベルトの伸張方向に移動するように構成される。
【００２６】
台７は、プーリ２１の外周と一致するような円弧状の形状で形成されている。そして、台７は、ボルト６に載った状態で、台７の外周側面７ａとベルト２０のＶリブが設けられている下面２０ｂが接するようにベルト２０を架けて設置する。
【００２７】
ガイド棒８は、円柱状に形成され、その断面がガイド２の脚部４に設けられた円形または楕円形の孔４ａに対して抜き差し可能な形（孔４ａよりも小さい円形または楕円形）に形成される。ここで、ガイド棒８は、孔４ａに差し込んだ状態で、孔４ａからプーリ２１の側面２１ｂ側に突出した部分の長さがプーリ２１のプーリ溝２１ｃを覆うことが可能な長さ以上となることが必要である。尚、孔４ａ及びガイド棒８の断面は、円形または楕円形に限定されない。ガイド棒８にベルト２０を案内する際に、ガイド棒８でベルト２０を傷つけないよう、ガイド棒８のベルト２０と接触する部分が平面となるよう構成されていれば良い。また、設けられるガイド棒８の数は、伸張されたベルト２０を、プーリ２１の外周に保持でき、ガイド棒に沿って横滑りできる程度の数であればよい。尚、ガイド棒８は、個々に抜き差し方向に可動となっているが、複数のガイド棒をネジとナットのような伸退駆動機構により一斉に移動させるものであっても良い。
【００２８】
次に、本実施形態に係るベルト取付け装置１を用いたベルト取付け方法について、図１〜図６に基づいて以下に説明する。
【００２９】
まず、図１（ａ）、（ｂ）に示すように、ベルト２０を最後に嵌合する対象となるプーリ２１について、脚部４がプーリ２１の側面２１ｂに引っ掛かるように、ガイド２を配置する。そして、ボス５のねじ孔５ａにボルト６を螺合し、ボルト６の錐体状の先端に中央部分が位置するように台７を載せる。尚、この際、ボルト６は、プーリ２２に嵌合したベルト２０を台７に設置することができるようにねじ孔５ａに浅めに螺合する。
【００３０】
そして、図２（ａ）、（ｂ）に示すように、プーリ２２にベルト２０を嵌合した後、ベルト２０のＶリブ２０ｃが形成される下面２０ｂが台７の外周側面７ａに接するように、ベルト２０を台７に設置する。次に、図３（ａ）、（ｂ）に示すように、ボルト６をねじ孔５ａに螺合することにより、台７をベルト２０の伸張方向（図３の矢印の方向）に移動し、ベルト２０が適正な長さになるまで伸張する。即ち、台７がガイド２の脚部４に達するまで、ベルト２０を伸張する。
【００３１】
次に、図４に示すように、ガイド２の脚部４に設けられた孔４ａにガイド棒８を差し込み、プーリ２１のプーリ溝２１ｃにガイド棒８を渡す。そして、図５に示すように、台７からガイド棒８上にベルト２０を案内する。具体的には、台７からガイド棒８に向けて（図５の矢印の方向）ベルト２０を滑らせて移動する。そして、図６に示すように、矢印の方向にガイド棒８を抜き去ることにより、ベルト２０をプーリ２１に嵌合する。最後に、プーリ２１からガイド２を取り去ることにより、プーリ２１、２２に対するベルト２０の取付けが完了する。
【００３２】
このように、本実施形態に係るベルト取付け装置１及びベルト取付け装置１を用いたベルト取付け方法によると、基板３の外周に延在する脚部４を引っ掛けることによりプーリ２１に固定し、ベルト２０を載せたガイド２を動かすことにより（即ち、ベルト２０を設置した台７を載せたボルト６をねじ孔５ａに螺合して、台７をベルト伸張方向に移動させることにより）、嵌合するプーリ２１に対してベルト２０を伸張している。そして、脚部４に配置された孔４ａに差し込んだガイド棒８にベルト２０を移動させた後、ガイド棒８を孔４ａから抜き去ることにより、ベルト２０をプーリ２１に嵌合している。以上により、ベルト２０をプーリへ２１嵌合する際にプーリ溝２１ｃでベルト２０が傷つくことを防止することができる。
【００３３】
また、プーリ２１またはプーリ２２が固定されて回転が困難な場合、従来のベルト取付け装置では取付けが難しいが、本実施形態に係るベルト取付け装置１及びベルト取付け装置１を用いたベルト取付け方法を適用することにより、簡単な構成で、ベルト２０をプーリ２１に嵌合することができる。
【００３４】
更に、ベルト２０に埋設した心線がポリブチレンテレフタレート繊維、ポリトリメチレンテレフタレート繊維、又は、ポリエチレンテレフタレート繊維であり、ベルト２０が高伸縮性であるため、ベルト２０の伸張が可能であり、本実施形態に係るベルト取付け装置１及びベルト取付け装置１を用いたベルト取付け方法を容易に実現することができる。
【００３５】
以上、本発明は、上記の好ましい実施形態に記載されているが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。また、具体例は、本発明の構成を例示したものであり、本発明を限定するものではない。
【図面の簡単な説明】
【００３６】
【図１】プーリにガイドを取り付けた状態を示す図であり、（ａ）は２軸レイアウトの正面図であり、（ｂ）は２軸レイアウトの断面図である。
【図２】ガイドにベルトを配置した状態を示す図であり、（ａ）は２軸レイアウトの正面図であり、（ｂ）は２軸レイアウトの断面図である。
【図３】ベルトを所定の長さまで伸張した状態を示す図であり、（ａ）は２軸レイアウトの正面図であり、（ｂ）は２軸レイアウトの断面図である。
【図４】ガイド棒を差し込んだ状態を示すプーリの断面図である。
【図５】ガイド棒にベルトを案内した状態を示すプーリの断面図である。
【図６】ガイド棒を抜き去った状態を示すプーリの断面図である。
【符号の説明】
【００３７】
１      ベルト取付け装置
２      ガイド（可動ガイド）
３      基板
４      脚部
４ａ    孔
５      ボス
５ａ    ねじ孔
６      ボルト
７      台
７ａ    外周側面
８      ガイド棒
２０    ベルト
２０ａ  平ベルト本体
２０ｂ  下面
２０ｃ  Ｖリブ
２１    プーリ
２１ａ  表面
２１ｂ  側面
２１ｃ  プーリ溝
２２    プーリ
２２ｂ  側面
２２ｃ  プーリ溝
【図１】
2006009861.tif 000003
【図２】
2006009861.tif 000004
【図３】
2006009861.tif 000005
【図４】
2006009861.tif 000006
【図５】
2006009861.tif 000007
【図６】
2006009861.tif 000008